(57)【要約】      （修正有）【課題】リハビリテーション運動設備において、双方向運動機能を有する装置を提供する。【解決手段】主に装置１に複数組のホイールセット１１、１２を設け、該複数のホイールセット１１、１２が非同心作動部材２１を対応して駆動する。使用者は体を動かすことにより、該装置１のホイールセット１１、１２を回転させ、さらには非同心作動部材２１を動かす。非同心作動部材２１に備えたカウンターウェイト２２により、非同心作動部材２１を回転させるとき、遠心力の生成が不平衡になり、揺れによる振動力を生成することができる。該振動力は装置にフィードバックされ、使用者は能動的に体を動かして運動するのと同時に、受動的な身体の振動を感じ、これにより運動および刺激性のリハビリテーション効果を達成する。【選択図】図２
0003221539.tif 000002
【実用新案登録請求の範囲】
【請求項１】
双方向運動装置であって、該装置に駆動装置と、少なくとも２本の軸棒と、非同心作動部材とが設けられ、該駆動装置は駆動ホイール、従動ホイールセットを含み；該軸棒は少なくとも１本が装置に挿設され、軸棒はベアリングが設けられた装置部分に接続、外嵌され；軸棒の一端が装置外部に延伸して操作部が設けられ；該軸棒は駆動ホイールに挿設され；もう１本の軸棒は従動ホイールセットに挿設され；該駆動ホイールは従動ホイールセットに対応し、該従動ホイールセットは非同心作動部材に対応し；該従動ホイールセットは大ホイールと、同軸で一側に設けられる小ホイールとを含み；該非同心作動部材は盤体と、同軸で一側に設けられる小ホイールとを含み、該盤体の円周の少なくとも一端にカウンターウェイトが設けられ；このうち該駆動ホイールのホイール直径は従動ホイールセットの小ホイールより大きく；該従動ホイールの大ホイールの直径は非同心作動部材の小ホイールより大きく；該駆動ホイールは対応する従動ホイールの小ホイールを駆動し；該従動ホイールの大ホイールは対応する非同心作動部材の小ホイールを駆動し、これにより使用者が操作部を回転させ、操作部が駆動ホイールを回転させるとき、同時に従動ホイールセットが高速回転し、さらには同時に非同心作動部材が高速回転し、非同心作動部材が遠心力の不平衡により、揺れによる振動力を生成し、装置本体にフィードバックして振動力を生成することができ、さらに装置本体が振動を使用者の身体に伝動し、受動運動および能動運動の相対する双方向運動を達成する装置。
【請求項２】
該駆動ホイールは１つまたは１つ以上であり；該従動ホイールセットは１つまたは１つ以上であり；該非同心作動部材は１つまたは１つ以上である、請求項１に記載の双方向運動装置。
【請求項３】
該非同心作動部材の軸心にベアリングが設けられるため、非同心作動部材は該回転軸に固定されず、該回転軸に位置制限され、したがって非同心作動部材および駆動ホイールは別々に回転し；該従動ホイールセットの軸心にベアリングが設けられる、請求項１に記載の双方向運動装置。
【請求項４】
該駆動ホイールおよび該従動ホイールセットおよび非同心作動部材の小ホイールは、歯車、摩擦ホイールでよく、その伝動は噛合伝動、または鎖およびベルトを用いた伝動である、請求項１に記載の双方向運動装置。
【請求項５】
該駆動ホイールは１対を左右に対応して配置するか、または同一側に対応して配置することができ、該従動ホイールセットは１対を左右に対応して配置するか、または同一側に対応して配置することができ、このうち該駆動ホイールは該従動ホイールセットを対応して駆動し、該従動ホイールセットは該非同心作動部材に対応し；該非同心作動部材は１対を左右に対応して配置することができ、このうち該駆動ホイールが該非同心作動部材を対応して駆動する、請求項１に記載の双方向運動装置。
【請求項６】
該カウンターウェイトは盤体に固定設置されるか、または盤体に取り付け、取り外すことができる、請求項１に記載の双方向運動装置。
【考案の詳細な説明】
【技術分野】
【０００１】
本考案はリハビリテーション運動設備の関連分野に関し、特に双方向運動装置を指す。
【背景技術】
【０００２】
既存のリハビリテーションおよび運動器具は、ある種、電動の受動運動機器である。例えば台湾実用新案第３２４５１８号明細書の「振動式フィットネス台」において、該機構は主に電動の振動素子が設けられ、電動の振動素子が台に振動効果を提供することにより、使用者に身体の各部位の神経に対する振動刺激を提供する。振動動作の刺激により、肢体の受動活動を上昇させ、筋肉の弛緩、萎縮、退化を防止し、使用者の筋肉および骨格、関節を緩めるのを助け、肢体の硬直を減少させることもできる。
【０００３】
しかしながら、該フィットネス台の機構は、完全受動式のフィットネスであり、使用者は自ら肢体の運動力を費やす必要はないため、身体に対するフィットネス効果は表面的である。受動および能動運動を兼ね備えることができる設計を提示し、上記欠点を効果的に改善するため、本考案は双方向機能を有する運動機器を提供する。
【先行技術文献】
【特許文献】
【０００４】
【特許文献１】台湾実用新案第３２４５１８号明細書
【考案の概要】
【考案が解決しようとする課題】
【０００５】
本考案の主な目的は、双方向運動装置を提供することにある。主に装置に複数組のホイールセットを設け、該複数のホイールセットが非同心作動部材を対応して駆動する。使用者は体を動かすことにより、該装置のホイールセットを回転させ、さらには非同心作動部材を動かす。非同心作動部材に備えたカウンターウェイトにより、非同心作動部材を回転させるとき、遠心力の生成が不平衡になり、揺れによる振動力を生成することができる。該振動力は装置にフィードバックされ、使用者は能動的に体を動かして運動するのと同時に、受動的な身体の振動を感じ、これにより運動および刺激性のリハビリテーション効果を達成する。
【課題を解決するための手段】
【０００６】
双方向運動装置において、該装置に駆動装置と、少なくとも１本の軸棒と、非同心作動部材とが設けられ、該駆動装置は駆動ホイール、従動ホイールセットを含む。該軸棒は１本または１本以上が装置に挿設され；軸棒の一端は装置外部に延伸して操作部が設けられる。該軸棒は駆動ホイールに挿設され；もう１本の軸棒は従動ホイールに挿設される。該駆動ホイールは従動ホイールセットに対応し、該従動ホイールセットは非同心作動部材に対応する。該従動ホイールセットは大ホイールと、同軸で一側に設けられる小ホイールとを含み；該非同心作動部材は盤体と、その一側面に設けられる小ホイールとを含み、該盤体の一端または両端にカウンターウェイトが設けられる。このうち該駆動ホイールのホイール直径は従動ホイールセットの小ホイールより大きく；該駆動ホイールは対応する従動ホイールの小ホイールを駆動し；該従動ホイールの大ホイールは対応する非同心作動部材の小ホイールを駆動する。
【図面の簡単な説明】
【０００７】
【図１】図１は、本考案の立体図である。
【図２】図２は、本考案の構成に対する概要的な実施代表図である。
【図３】図３は、本考案の駆動ホイールが従動ホイールを駆動し、従動ホイールが非同心作動部材を駆動する実施概要図である。
【図４】図４は、本考案の第２実施例の概要図である。
【図５】図５は、本考案の第３実施例の概要図である。
【図６】図６は、本考案の第４実施例の概要図である。
【図７】図７は、本考案の第５実施例の概要図である。
【図８】図８は、本考案の第６実施例の概要図である。
【考案を実施するための形態】
【０００８】
本考案の実施は図１から図３に示す通りであり、図１から図３は本考案の最も好ましい代表的実施図である。双方向運動装置において、該装置１は組立空間を有し、該組立空間に駆動装置と、１本または１本以上の軸棒１４と、非同心作動部材２１とが設けられ、該駆動装置は１つまたは１つ以上の駆動ホイール１１、１つまたは１つ以上の従動ホイールセット１２を含む。本考案の最も好ましい実施は図２であり、該少なくとも１本の軸棒１４は装置１に挿設され、さらにベアリング３２が設けられた装置１部分に接続、外嵌され；該軸棒１４の一端は、装置１外部に延伸して操作部１５が設けられる。該軸棒１４は駆動ホイール１１および非同心作動部材２１に挿設され；該駆動ホイール１１は該回転軸１４に固定され；該非同心作動部材２１の軸心にベアリング３２が設けられるため、非同心作動部材２１は該回転軸１４に固定されず、該回転軸１４に位置制限され、したがって非同心作動部材２１および駆動ホイール１１は別々に回転する。もう１本の軸棒１４は従動ホイールセット１２に挿設され、該従動ホイールの軸心は軸棒１４に固定される。該駆動ホイール１１は従動ホイールセット１２に対応し、該従動ホイールセット１２は非同心作動部材２１に対応する。該従動ホイールセット１２は大ホイール１２２と、同軸で一側に設けられる小ホイール１２１とを含み；該非同心作動部材２１は盤体と、盤体の一側に延伸して設けられる小ホイール２１１とであり、該盤体の一端または両端にカウンターウェイト２２が設けられる。したがって盤体およびカウンターウェイト２２は非同心に配置され、盤体の体積は、カウンターウェイトにより偏心して一端または両端が最も重く、このうち該カウンターウェイト２２は盤体に固定設置されるか、または盤体に取り付け、取り外すことができる。このうち該駆動ホイール１１のホイール直径は従動ホイールセット１２の小ホイール１２１より大きく；該従動ホイールセット１２の大ホイール１２２のホイール直径は非同心作動部材２１の小ホイール２１１より大きい。図３に示すように、該駆動ホイール１１は対応する従動ホイールセット１２の小ホイール１２１を駆動し；該従動ホイールセットの大ホイール１２２は対応する非同心作動部材２１の小ホイール２１１を駆動する。
【０００９】
図２の実施を例とする。体を動かして操作部１５を駆動し、さらには装置１を回転させると、同時に駆動ホイール１１が回転し、駆動ホイール１１が従動ホイールセット１２の小ホイール１２１を動かす。ホイール比により、大ホイールが小ホイールを駆動して、従動ホイールセット１２の回転速度は速くなり、最適なホイール比は１：１５〜１：６０である。該従動ホイールセット１２の大ホイール１２２はさらに非同心作動部材２１の小ホイール２１１を動かし、これにより非同心作動部材２１は高速回転する。このため使用者が体を動かして操作し、駆動ホイール１１を回転させるとき、同時に従動ホイールセット１２が高速回転し、さらには同時に非同心作動部材２１が高速回転する。これにより非同心作動部材２１は遠心力の不平衡により、揺れによる振動力を生成し、装置１本体にフィードバックすることができ、さらに装置１本体が振動を使用者の身体に伝動する。本考案は、受動運動および能動運動の２重の効果を有する。
【００１０】
しかしながら、本考案の複合構造は数種の変更された組合せも有し、上記の複合構造に限定されない。例えば図４に示すように、該駆動ホイール１１は１対を左右に対応して配置し、該従動ホイールセット１２は１対を左右に対応して配置する。このうち駆動ホイール１１は従動ホイールセットを対応して駆動し、従動ホイールセットは非同心作動部材２１に対応する。
【００１１】
他に、図５に示すように、前記駆動ホイール１１は１対を左右に対応して配置し、前記非同心作動部材２１は一対を左右に対応して配置する。このうち駆動ホイール１１が、非同心作動部材２１を対応して駆動する。
【００１２】
また、図６に示すのは第４実施例である。該装置１に第１軸棒１４ａと、平行に設置される第２軸棒１４ｂとが設けられ、このうち第１軸棒１４ａの一端に、順番に駆動ホイール１１および操作部１５が設けられ、もう一端に順番に非同心作動部材（小ホイール２１１）および操作部１５が設けられ；該非同心作動部材２１は小ホイール２１１と、小ホイール２１１の円周の一端に設けられるカウンターウェイト２２とを含む。第２軸棒１４ｂに従動ホイールセット１２が設けられ、該従動ホイールセット１２は大ホイール１２２および小ホイール１２１を含み、該大ホイール１２２および該小ホイール１２１はそれぞれ第２軸棒１４ｂの両端に設けられる。該第１軸棒１４ａおよび第２軸棒１４ｂは、ベアリング３２が設けられた装置１部分に接続、外嵌される。このうち、該駆動ホイール１１は該小ホイール１２１に対応し、該大ホイール１２２は該非同心作動部材２１の小ホイール２１１に対応する。使用者が２つの操作部１５を回転させるとき、駆動ホイール１１を同時に駆動し、さらには駆動ホイール１１が該小ホイール１２１を駆動し、小ホイール１２１の相対する一端に設けられる大ホイール１２２が該非同心作動部材２１の小ホイール２１１を駆動する。
【００１３】
また、図７に示すのは第５実施例であり、本考案は腹部運動装置に応用される。該装置１の一端に接触部４が設けられ、該接触部４は使用者の身体、例えば腹部、大腿などを置くために提供される。装置１に第１軸棒１４ａと、平行に設置される第２軸棒１４ｂおよび第３軸棒１４ｃとが設けられ、このうち第１軸棒１４ａの一端に駆動ホイール１１および操作部１５が設けられ、もう一端にもう１つの操作部１５が設けられる。第２軸棒１４ｂに従動ホイールセット１２が設けられ、該従動ホイールセット１２は大ホイール１２２と、一側に延伸して形成される小ホイール１２１とを含む。
第３軸棒１４ｃに非同心作動部材２１が設けられ、非同心作動部材２１は小ホイール２１１と、その円周の一端に設けられるカウンターウェイト２２とを含む。該第１軸棒１４ａおよび第２軸棒１４ｂは、ベアリング３２が設けられた装置１部分に接続、外嵌され；該従動ホイールセット１２および非同心作動部材２１と、第２軸棒１４ｂおよび第３軸棒１４ｃとの接続部分にベアリング３２が設けられる。このうち、該駆動ホイール１１は該小ホイール１２１に対応し、該大ホイール１２２は該非同心作動部材２１の小ホイール２１１に対応する。使用者が２つの操作部１５を回転させるとき、駆動ホイール１１を同時に駆動し、さらには駆動ホイール１１が該小ホイール１２１を駆動し、小ホイール１２１の相対する一端に設けられる大ホイール１２２が該非同心作動部材２１の小ホイール２１１を駆動する。
【００１４】
また、図８に示すのは第６実施例であり、本考案は座位での回転運動装置に応用される。該装置１の一端に操作部１５が設けられ、該操作部１５は使用者が乗るために提供される。装置１に第１軸棒１４ａと、平行に設置される第２軸棒１４ｂが設けられ、このうち第１軸棒１４ａは垂直の棒体で、その一端は延伸して屈曲したＬ字クランク形状を形成する。一端に駆動ホイール１１および非同心作動部材２１が設けられ、該非同心作動部材は小ホイール２１１と、その円周の一端に設けられるカウンターウェイト２２とを含み、第１軸棒１４ａの延伸した一端の屈曲したＬ字クランク部分に該操作部１５が設けられる。第２軸棒１４ｂに従動ホイールセット１２が設けられ、該従動ホイールセット１２は大ホイール１２２と、一側に延伸して形成される小ホイール１２１とを含む。該第１軸棒１４ａおよび第２軸棒１４ｂは、それぞれベアリング３２が設けられた装置１部分に接続、外嵌され；該非同心作動部材２１および従動ホイールセット１２と、第１軸棒１４ａおよび第２軸棒１４ｂとの接続部分にベアリング３２が設けられる。このうち、該駆動ホイール１１は該小ホイール１２１に対応し、該大ホイール１２２は該非同心作動部材２１の小ホイール２１１に対応する。使用者が座った状態で操作部１５を回転させるとき、駆動ホイール１１を同時に駆動し、さらには駆動ホイール１１が該小ホイール１２１を駆動し、小ホイール１２１の相対する一端に設けられる大ホイール１２２が該非同心作動部材２１の小ホイール２１１を駆動する。
【００１５】
本考案における該駆動ホイール１１および該従動ホイールセット１２は歯車、摩擦ホイールでよく、その伝動は噛合伝動、または鎖およびベルトを用いた伝動である。
【００１６】
本考案は実用的な進歩性を備えており、さらに刊行物または開示、使用は未だ見られない。特許の条件に符合するため、法に基づき特許出願を行う。
【００１７】
ただ、上記の記載は本考案の産業上の好ましい実施例である。本考案の実用新案登録請求の範囲に基づいて行う同等の変更は、いずれも本考案の実用新案登録請求の範囲から逸脱しない。
【符号の説明】
【００１８】
１  装置
１４  軸棒
１４ａ  第１軸棒
１４ｂ  第２軸棒
１４ｃ  第３軸棒
２１  非同心作動部材
１１  駆動ホイール
１２  従動ホイールセット
１２１  小ホイール
１２２  大ホイール
３２  ベアリング
１５  操作部
２１１  小ホイール
２２  カウンターウェイト
４  接触部
【図１】
0003221539.tif 000003
【図２】
0003221539.tif 000004
【図３】
0003221539.tif 000005
【図４】
0003221539.tif 000006
【図５】
0003221539.tif 000007
【図６】
0003221539.tif 000008
【図７】
0003221539.tif 000009
【図８】
0003221539.tif 000010
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
双方向運動装置であって、該装置に駆動装置と、少なくとも２本の軸棒と、非同心作動部材とが設けられ、該駆動装置は駆動ホイール、従動ホイールセットを含み；該軸棒は少なくとも１本が装置に挿設され、軸棒はベアリングが設けられた装置部分に接続、外嵌され；軸棒の一端が装置外部に延伸して操作部が設けられ；該軸棒は駆動ホイールに挿設され；もう１本の軸棒は従動ホイールセットに挿設され；該駆動ホイールは従動ホイールセットに対応し、該従動ホイールセットは非同心作動部材に対応し；該従動ホイールセットは大ホイールと、同軸で一側に設けられる小ホイールとを含み；該非同心作動部材は盤体と、同軸で一側に設けられる小ホイールとを含み、該盤体の円周の少なくとも一端にカウンターウェイトが設けられ；このうち該駆動ホイールのホイール直径は従動ホイールセットの小ホイールより大きく；該従動ホイールセットの大ホイールの直径は非同心作動部材の小ホイールより大きく；該駆動ホイールは対応する従動ホイールセットの小ホイールを駆動し；該従動ホイールセットの大ホイールは対応する非同心作動部材の小ホイールを駆動し、これにより使用者が操作部を回転させ、操作部が駆動ホイールを回転させるとき、同時に従動ホイールセットが高速回転し、さらには同時に非同心作動部材が高速回転し、非同心作動部材が遠心力の不平衡により、揺れによる振動力を生成し、装置本体にフィードバックして振動力を生成することができ、さらに装置本体が振動を使用者の身体に伝動し、受動運動および能動運動の相対する双方向運動を達成する装置。
【請求項２】
該駆動ホイールは１つまたは１つ以上であり；該従動ホイールセットは１つまたは１つ以上であり；該非同心作動部材は１つまたは１つ以上である、請求項１に記載の双方向運動装置。
【請求項３】
該非同心作動部材の軸心にベアリングが設けられるため、非同心作動部材は回転軸に固定されず、該回転軸に位置制限され、したがって非同心作動部材および駆動ホイールは別々に回転し；該従動ホイールセットの軸心にベアリングが設けられる、請求項１に記載の双方向運動装置。
【請求項４】
該駆動ホイールおよび該従動ホイールセットおよび非同心作動部材の小ホイールは、歯車、摩擦ホイールであり、その伝動は噛合伝動、または鎖およびベルトを用いた伝動である、請求項１に記載の双方向運動装置。
【請求項５】
該駆動ホイールは１対を左右に対応して配置される、または同一側に対応して配置されており、該従動ホイールセットは１対を左右に対応して配置される、または同一側に対応して配置されており、このうち該駆動ホイールは該従動ホイールセットを対応して駆動し、該従動ホイールセットは該非同心作動部材に対応し；該非同心作動部材は１対を左右に対応して配置されており、このうち該駆動ホイールが該非同心作動部材を対応して駆動する、請求項１に記載の双方向運動装置。
【請求項６】
該カウンターウェイトは盤体に固定設置されるか、または盤体に取り付け、取り外すことができる、請求項１に記載の双方向運動装置。
【手続補正書】
【提出日】平成31年3月22日(2019.3.22)
【手続補正１】
【補正対象書類名】実用新案登録請求の範囲
【補正対象項目名】全文
【補正方法】変更
【補正の内容】
【実用新案登録請求の範囲】
【請求項１】
双方向運動装置であって、該装置に駆動装置と、少なくとも２本の軸棒と、非同心作動部材とが設けられ、該駆動装置は駆動ホイール、従動ホイールセットを含み；該軸棒は少なくとも１本が装置に挿設され、軸棒はベアリングが設けられた装置部分に接続、外嵌され；軸棒の一端が装置外部に延伸して操作部が設けられ；該軸棒は駆動ホイールに挿設され；もう１本の軸棒は従動ホイールセットに挿設され；該駆動ホイールは従動ホイールセットに対応し、該従動ホイールセットは非同心作動部材に対応し；該従動ホイールセットは大ホイールと、同軸で一側に設けられる小ホイールとを含み；該非同心作動部材は盤体と、同軸で一側に設けられる小ホイールとを含み、該盤体の円周の少なくとも一端にカウンターウェイトが設けられ；このうち該駆動ホイールのホイール直径は従動ホイールセットの小ホイールより大きく；該従動ホイールセットの大ホイールの直径は非同心作動部材の小ホイールより大きく；該駆動ホイールは対応する従動ホイールセットの小ホイールを駆動し；該従動ホイールセットの大ホイールは対応する非同心作動部材の小ホイールを駆動し、これにより使用者が操作部を回転させ、操作部が駆動ホイールを回転させるとき、同時に従動ホイールセットが高速回転し、さらには同時に非同心作動部材が高速回転し、非同心作動部材が遠心力の不平衡により、揺れによる振動力を生成し、装置本体にフィードバックして振動力を生成することができ、さらに装置本体が振動を使用者の身体に伝動し、受動運動および能動運動の相対する双方向運動を達成する装置。
【請求項２】
該駆動ホイールは１つまたは１つ以上であり；該従動ホイールセットは１つまたは１つ以上であり；該非同心作動部材は１つまたは１つ以上である、請求項１に記載の双方向運動装置。
【請求項３】
該非同心作動部材の軸心にベアリングが設けられるため、非同心作動部材は軸棒に固定されず、該軸棒に位置制限され、したがって非同心作動部材および駆動ホイールは別々に回転し；該従動ホイールセットの軸心にベアリングが設けられる、請求項１に記載の双方向運動装置。
【請求項４】
該駆動ホイールおよび該従動ホイールセットおよび非同心作動部材の小ホイールは、歯車、摩擦ホイールであり、その伝動は噛合伝動、または鎖およびベルトを用いた伝動である、請求項１に記載の双方向運動装置。
【請求項５】
該駆動ホイールは１対を左右に対応して配置される、または同一側に対応して配置されており、該従動ホイールセットは１対を左右に対応して配置される、または同一側に対応して配置されており、このうち該駆動ホイールは該従動ホイールセットを対応して駆動し、該従動ホイールセットは該非同心作動部材に対応し；該非同心作動部材は１対を左右に対応して配置されており、このうち該駆動ホイールが該非同心作動部材を対応して駆動する、請求項１に記載の双方向運動装置。
【請求項６】
該カウンターウェイトは盤体に固定設置されるか、または盤体に取り付け、取り外すことができる、請求項１に記載の双方向運動装置。